(57)【要約】　　　（修正有）【課題】信頼性がある位置決め効果を提供でき、主眼鏡のレンズ枠フレームの延伸アームと鼻掛け部の元来の設計特色を損なわない効果を有し、副眼鏡の架橋部が製造しやすい。【解決手段】主眼鏡の鼻掛け部７３の内側面７３１に、中間係合突出部７３２と磁石７３３とを備え、副眼鏡の架橋部８３には、添付片８３１と、跨り接合線８３２とを有し、添付片の外側面８３３に中間係合凹入部８３４と、磁石８３５とを備え、中間係合凹入部と鼻掛け部の中間係合突出部とが係合可能であり、その中間係合凹入部の磁石と鼻掛け部の中間係合突出部の磁石とがそれぞれ合致して吸着し合うようにする。【選択図】　　図９
0003099168.tif 000002
【実用新案登録請求の範囲】
【請求項１】
　独立した主眼鏡と、その主眼鏡のレンズ枠フレームの前側に吸着連結される、耳掛け部がない副眼鏡とからなり、そのうち、前記主眼鏡にはその二つのレンズ枠フレーム同士の中間部に形成される鼻掛け部を有することに対し、前記副眼鏡にはその二つのレンズ枠フレーム同士の中間部に形成される架橋部を有し、その架橋部が前記鼻掛け部に跨って掛けることができる耳掛け部がない副眼鏡を付着した眼鏡セット構造において、
　前記主眼鏡の鼻掛け部の顔面部に近接する内側面に、中間係合突出部とその突出部の両側に位置する磁石同士とを備え、また、前記副眼鏡の架橋部には、二つのレンズ枠フレーム同士の中間の後側近傍に位置する縦状態を呈する添付片と、その添付片のトップ部の両側端より前へ向いて第一のレンズ枠フレームと第二のレンズ枠フレームの内縁部に延伸する跨り接合線とを有し、また、添付片の顔面部より離れる外側面に中間係合凹入部と、当該中間係合凹入部の両側に位置する磁石同士とを備え、前記中間係合凹入部と鼻掛け部の中間係合突出部とが係合可能であり、且つその中間係合凹入部の両側の磁石同士と鼻掛け部の中間係合突出部の両側の磁石同士とがそれぞれ合致して吸着し合うことを特徴とする、
　耳掛け部がない副眼鏡を付着した眼鏡セット構造。
【請求項２】
　前記主眼鏡の鼻掛け部と副眼鏡の架橋部とが所定の縦方向寸法を有するように設定されることを特徴とする、
　請求項１に記載の耳掛け部がない副眼鏡を付着した眼鏡セット構造。
【請求項３】
　前記副眼鏡の架橋部の添付片の縦方向寸法が、主眼鏡の鼻掛け部の縦方向寸法より小さく形成されるように設定されることを特徴とする、
　請求項２に記載の耳掛け部がない副眼鏡を付着した眼鏡セット構造。
【考案の詳細な説明】
【技術分野】
【０００１】
　本考案は、耳掛け部がない副眼鏡を付着した眼鏡セット構造に係わり、特に耳掛け部のないサングラスが独立した眼鏡に吸着位置決めできる、着脱可能な眼鏡セット構造に関するものであり、それは主眼鏡のレンズ枠フレームの元来の設計の特色を損なわない効果を有する。
【背景技術】
【０００２】
　一般の人々がよく掛ける眼鏡は、視力を矯正する機能や他の異なる外見風貌を呈するための機能などを有するもののほか、日差しを遮蔽するためのサングラスも有し、他の余分の独立したサングラスを持って行動することを避けるために、マーケットにおいては一般的な眼鏡に付着可能な耳掛け部がないサングラスが提供された。それは、磁石の吸着力によってニーズに応じて一般の眼鏡に付着することによって一般の眼鏡にサングラスの機能を付与できるものである。
【０００３】
　図１と図２に示すように、従来の独立した主眼鏡１と耳掛け部がない副眼鏡２とからなる眼鏡セット構造において、その主眼鏡１には、一対の内部にレンズ１１がつけてあるレンズ枠フレーム１２と、第一と第二のレンズ枠フレーム１２の中間部に配置される鼻掛け部１３と、それぞれのレンズ枠フレーム１２の外側延伸アーム１２１に枢着される掛けフレーム１４とを具備し、また、レンズ枠フレーム１２の外側延伸アーム１２１の湾曲部位の内縁部に磁石１２２が配置される。また、前記副眼鏡２には、内部に遮光レンズ２１を有する一対のレンズ枠フレーム２２と、第一と第二のレンズ枠フレーム２２の中間部に配置されるブリッジ・ロッド２３とを具備し、それぞれのレンズ枠フレーム２２の外側にそれぞれ連接アーム２２１が延伸形成され、前記連接アーム２２１には前記磁石１２２に対応するための磁石２２２が配置される。前記ブリッジ・ロッド２３を鼻掛け部１３に跨って係合することと、磁石同士１２２，２２２の間の吸着力によって副眼鏡２をレンズ枠フレーム１２の前側に取り付け、第一と第二のレンズ枠フレーム２２と第一と第二のレンズ枠フレーム１２とを位置合わせることによって、サングラス機能を有する着脱可能な眼鏡組立セットを構成し、その副眼鏡２を取り外すと、一般的な眼鏡になるように復帰する。
【０００４】
　前記の従来の眼鏡セットは、磁石同士１２２，２２２間の吸着作用とブリッジ・ロッド２３の鼻掛け部１３に跨った掛止作用とによって、サングラス・レンズを一般の眼鏡に付着できる機能を有するようになっているが、レンズ枠フレーム２２の外側に延伸する連接アーム２２１が主眼鏡のレンズ枠フレーム１２の元来の設計の特色を損なわないようにし、つまり、主眼鏡のレンズ枠フレーム１２の延伸アーム１２１と鼻掛け部１３とがすべて一般の眼鏡を設計するポイントであり、連接アーム２２１がレンズ枠フレーム１２の延伸アーム１２１に重ねられると、延伸アーム１２１の元考案要点を遮断してしまうようになり、また、連接アーム２２１の延伸段が重量を増加し、掛ける際に不快感を醸し出すようになる。他に、図３に示すように、使用時に、主眼鏡掛けフレーム１４が大幅に開かれる場合、主眼鏡１のレンズ枠フレームが外方へ湾曲してやや拡張し（図４の仮想線参照）、それが副眼鏡２のレンズ枠フレーム２２が先方へプッシュされて主眼鏡１のレンズ枠フレーム２２と間隙を生じ、脱落させる場合も考えられる。
【０００５】
　図５と図６に示すのは、他の種の従来の耳掛け部がない副眼鏡を付着した眼鏡セット構造であり、それは独立した主眼鏡３と、耳掛け部がない副眼鏡４とからなり、そのうち、主眼鏡３の鼻掛け部３３の上部に磁石３４が配置され、副眼鏡４のサングラス・レンズ４１を有する第一と第二のレンズ枠フレーム同士４２の中間部にブリッジ・ピース４３を有し、それが鼻掛け部３３を覆うことが可能な橋面状に設定され、その底部に前記磁石３４に対応する磁石４４が配置され、ブリッジ・ピース４３で鼻掛け部３３を覆い係合することと、磁石同士３４，４４間の相互吸着することによって、副眼鏡４をレンズ枠フレーム３２の前側に接合し、且つ第一と第二のレンズ枠フレーム４２と第一と第二のレンズ枠フレーム３２とを合致させると、サングラス機能を有する着脱可能な眼鏡組立セットを形成できる。
【０００６】
　図５に示す従来の眼鏡組立セットの場合では、そのレンズ枠フレーム４２の外側に延伸する連接アームを有さず、主眼鏡のレンジ枠フレームの延伸アーム３２１の元来の設計の特色を損なってしまうという課題を有さないが、そのブリッジ・ピース４３と鼻掛け部３３との間の結合構造は、上下方吸着の様態に設計されるので、レンズ枠フレーム４２の両側が上向きのプッシュ・フォースに出会うと、レンズ枠フレーム４２が容易に傾斜してしまい、脱落してしまう場合さえあり、その吸着の位置決め効果がよくなく、人体活動において頻繁に生じる上下振動力に対抗できない。他に、副眼鏡４のブリッジ・ピース４３が鼻掛け部３３を覆うと、鼻掛け部３３の設計の元味を遮断するようになる課題を有する。
【０００７】
　前記の従来の眼鏡組立セットを改良するために、本考案の出願人は中華民国台湾実用新案第１７５２８５号“サングラス・レンズを係止配置可能な眼鏡構造”を提出済みである。その構成は図７と図８に示すようであり、それには、独立した主眼鏡５と、耳掛け部がない副眼鏡６とを備え、そのうち、主眼鏡５の鼻掛け部５３の両側に磁気部材５４が配置され、副眼鏡６のサングラス・レンズ６１がつけてある第一と第二のレンズ枠フレーム６２の中間部に架橋部６３を有し、当該架橋部６３の両側に後方弓形体６３１が形成され、且つ二つの後方弓形体６３１の中段部位が前向きに前方弓形体６３２を形成するように湾曲設定され、後方弓形体６３１と前方弓形体６３２と隣接しあう部位に下向きに湾曲状係止フック６３３が延出形成され、二つの係止フック６３３の末端部に前記磁気部材５４に対応する磁気部材６４が配置され、架橋部６３を鼻掛け部５３に跨って係合することと、磁気部材同士５４，６４間の相互吸着によって副眼鏡６をレンズ枠フレーム５２の前側に付着させることができると共に、挟持と吸着と寄せ付けの位置決め効果を生成できる。
【０００８】
　図７に示す従来の眼鏡組立セットの場合では、そのレンズ枠フレーム６２の外側に延伸する連接アームを有さないので、主眼鏡５のレンズ枠フレーム５２の延伸アーム５２１が有する元来の設計の特色を損なってしまうという課題を有さず、また、架橋部６３に磁気部材同士５４，６４を合せて適当にアレンジすると、眼鏡の側方向のフォースと上下方向の外力の影響を受けることを改善でき、副眼鏡６を穏やかにレンズ枠フレーム５２の前面部に付着させることができ、従来の眼鏡組立セットに比べて、効果の増進が図れる。しかしながら、架橋部６３は構造が製造上、面倒であり、他に、副眼鏡６の架橋部６３が鼻掛け部５３に跨って係合すると、架橋部６３の後方弓形体６３１と前方弓形体６３２が依然として鼻掛け部５３より露出され、そのため、鼻掛け部３３の設計の元味に悪影響を及ぼすようになる。
【考案の開示】
【考案が解決しようとする課題】
【０００９】
　そのため、他の種の異なる構成の着脱式の眼鏡組立セットを考案することによって、前記の従来の耳掛け部がないサングラスを付着する眼鏡セット構造を改良すべきであり、そのための本考案の主要な目的は、耳掛け部がない副眼鏡を付着した眼鏡セット構造を提供することにあり、それが副眼鏡を主眼鏡レンズ枠フレームに付着する場合に、信頼性がある位置決め効果を提供できるほか、主眼鏡のレンズ枠フレームの延伸アームと鼻掛け部の元来の設計特色を損なわない効果を有し、且つ副眼鏡の架橋部が製造しやすいことにある。
【課題を解決するための手段】
【００１０】
　前記の目的を達成するために、本考案は、独立した主眼鏡と、その主眼鏡のレンズ枠フレームの前側に吸着連結される、耳掛け部がない副眼鏡とからなり、そのうち、前記主眼鏡にはその二つのレンズ枠フレーム同士の中間部に形成される鼻掛け部を有することに対し、前記副眼鏡にはその二つのレンズ枠フレーム同士の中間部に形成される架橋部を有し、その架橋部が前記鼻掛け部に跨って掛けることができる耳掛け部がない副眼鏡を付着した眼鏡セット構造において、前記主眼鏡の鼻掛け部の顔面部に近接する内側面に、中間係合突出部とその突出部の両側に位置する磁石同士とを備え、また、前記副眼鏡の架橋部には、二つのレンズ枠フレーム同士の中間の後側近傍に位置する縦状態を呈する添付片と、その添付片のトップ部の両側端より前へ向いて第一のレンズ枠フレームと第二のレンズ枠フレームの内縁部に延伸する跨り接合線とを有し、また、添付片の顔面部より離れる外側面に前記中間係合凹入部と、当該中間係合凹入部の両側に位置する磁石同士とを備えるようにする。
【考案の効果】
【００１１】
　前記副眼鏡の中間係合凹入部と前記主眼鏡の鼻掛け部の中間係合突出部とが係合可能であり、且つその中間係合凹入部の両側の磁石同士と鼻掛け部の中間係合突出部の両側の磁石同士とがそれぞれ合致して吸着し合うことができるので、耳掛け部がない副眼鏡を確実に主眼鏡に付着位置決めさせることができるようになる。
【００１２】
　以下に、添付図面を参照しながら本考案の最良の実施の形態を詳細的で具体的に説明する。
【考案を実施するための最良の形態】
【００１３】
　図９と図１０に示すように、本考案は、独立した主眼鏡７と、その主眼鏡７のレンズ枠フレーム７２の前面部に吸着連結される耳掛け部がない副眼鏡８とからなり、そのうち、主眼鏡７には内部にレンズ７１がつけてあるレンズ枠フレーム７２と、そのレンズ枠フレーム７２の中間部に配置される鼻掛け部７３と、第一と第二のレンズ枠フレーム７２の外縁部に枢着される掛けフレーム７４とを有し、且つ前記副眼鏡８が前記レンズ枠フレーム７２の前面部に合致でき、着脱可能なサングラスを形成でき、それには一対の内部にサングラス・レンズ８１を有するレンズ枠フレーム８２とそのレンズ枠フレーム８２間につけられる架橋部８３とを有する。
【００１４】
　本考案は、副眼鏡８と主眼鏡７間の接合構造に対し改良を実施するものであり、その特徴は、主眼鏡７の鼻掛け部７３が適当な縦方向寸法を有し、且つその顔面部に近接する内側面７３１には中間係合突出部７３２と、この中間係合突出部７３２の両側の適所に位置する磁石７３３とを有し、また、副眼鏡８の架橋部８３には第一と第二のレンズ枠フレーム８２の中間部の後側近傍に位置する縦状態を呈する添付片８３１と、当該添付片８３１の上部の両側より前向いて第一と第二のレンズ枠フレーム８２の内縁まで延伸する跨り接合線８３２とを有し、前記添付片８３１が所定の縦方向寸法を有し、且つその顔面部より離れる外側面８３３に中間係合凹入部８３４と、この中間係合凹入部８３４の両側の適所に位置する磁石８３５とを有し、また、前記跨り接合線８３２がやや湾曲し、且つ主眼鏡７の鼻掛け部７３の横方向幅を跨ることができる長さを有し、そのため、鼻掛け部７３の両側の上部に跨って係合でき、また、中間係合凹入部８３４と係合突出部７３２とが相互に係合可能であり、且つ、中間係合凹入部８３４の両側の磁石８３５が中間係合突出部７３２の両側の磁石７３３とが合致して吸着できる。
【００１５】
　本考案の組立状況は、図１０ないし図１２に示すように、副眼鏡８の跨り接合線８３２を鼻掛け部７３の両側のトップ部に跨って係合すると、前記添付片８３１が鼻掛け部７３の後方より前方へ導入され、その上における中間係合凹入部８３４と鼻掛け部７３における突出部７３２とが係合できるように作用し、また、中間係合凹入部８３４の両側の磁石同士８３５が中間係合突出部７３２の両側の磁石同士７３３と合致して吸着でき、そのため、添付片８３１の外側面８３３と鼻掛け部７３の内側面７３１とが信頼性のある吸着接合を形成でき、副眼鏡８のレンズ枠フレーム８２を穏やかにレンズ枠フレーム７２の前面に付着させることができると共に、マッチする状態とすることもできる。
【００１６】
　本考案の副眼鏡８の架橋部８３の添付片８３１の縦方向寸法が鼻掛け部７３の縦方向寸法を超えないように設定されることが本考案の具体的な実施例であり、副眼鏡８のレンズ枠フレーム８２をレンズ枠フレーム７２の前面部に付着すると、添付片８３１が鼻掛け部７３の内側に遮蔽され、図１１に示すようになり、主眼鏡７の鼻掛け部７３の元来の設計の特色を損なうことがなく、また、跨り接合線８３２が金属製の細線であり、それが鼻掛け部７３に跨って係合されると、単に細かい線形を呈し、主眼鏡７３の元来の設計の特色に対する影響を最低限に抑えることができる。また、本考案の図中における実施例の場合では、中間係合突出部７３２と中間係合凹入部８３４とがそれぞれ対応係合可能な凸粒と凹口であり、架橋部８３と鼻掛け部７３間に磁力の吸着作用を提供するほか、凹凸係合作用を形成でき、位置決め効果を向上できる。他に、実際のニーズに応じて中間係合突出部７３２と中間係合凹入部８３４を相互に対応係合可能な凹口と凸粒に交換変更しても実施可能であることがいうまでもないことである。また、中間係合突出部７３２の凸粒を斜面状に設定することによって凹入口に対する係合作用を容易に設定してもよい。
【産業上の利用可能性】
【００１７】
　本考案の耳掛け部がない副眼鏡を付着した眼鏡セット構造による場合、そのレンズ枠フレーム８２の外側に延伸する連接アームを有しないので、主眼鏡７のレンズ枠フレーム７２１の元来の設計の特色を損なうような課題を有さず、且つその架橋部８３の設計が主眼鏡７の鼻掛け部７３の元来の設計の特色に対する影響を最低限まで抑えることができ、かつ眼鏡の側方フォースと上下振動方向の外力の影響を効果的に低減でき、副眼鏡８を穏やかに主眼鏡７のレンズ枠フレーム７２の前面部に付着でき、且つ前記架橋部８３の構造は複数回の湾曲加工を実施する必要がないので、製造が面倒ではなく、そのため、本考案は従来の耳掛け部がない副眼鏡を付着した眼鏡セットよりさらに優れた効果を有する。
【図面の簡単な説明】
【００１８】
【図１】従来の着脱式眼鏡セットの主眼鏡と耳掛け部のない副眼鏡を示す分解図である。
【図２】図１の副眼鏡が主眼鏡に付着する場合を示す組立平面図である。
【図３】図２の副眼鏡が外力の作用を受けて偏るようになる状態を示す説明図である。
【図４】図３の主眼鏡レンズ枠フレームが外方へ広がれて拡張される場合を示す説明図である。
【図５】他の従来の着脱式眼鏡セットの主眼鏡と耳掛け部がない副眼鏡を示す分解図である。
【図６】図５の副眼鏡を主眼鏡に付着する場合を示す組立平面図である。
【図７】台湾実用新案第１７５２８５号の主眼鏡と副眼鏡を示す分解図である。
【図８】図７の副眼鏡を主眼鏡に付着する場合を示す組立平面図である。
【図９】本考案の主眼鏡と耳掛け部がない副眼鏡を示す分解図である。
【図１０】本考案の副眼鏡を主眼鏡に付着することを示す斜視図である。
【図１１】本考案の副眼鏡を主眼鏡に付着することを示す平面図である。
【図１２】図１１における１２−１２位置の断面を示す断面図である。
【符号の説明】
【００１９】
１，３，５，７　　　主眼鏡
２，４，６，８　　　副眼鏡
１１，７１　　　　　レンズ
１２，３２，５２，７２　レンズ枠フレーム
１３，３３，５３，７３　鼻掛け部
１４，７４　　　　　掛けフレーム
２１，４１，６１，８１　サングラス
２２，４２，６２，８２　レンズ枠フレーム
２３　　　　　　　　ブリッジ・ロッド
４３　　　　　　　　ブリッジ・ピース
６３，８３　　　　　架橋部
１２１，３２１，５２１，７２１　延伸アーム
１２２，２２２，３４，４４，５４，６４　磁石
２２１　　　　　　　連接アーム
６３１　　　　　　　後方弓形体
６３２　　　　　　　前方弓形体
６３３　　　　　　　係止フック
７３１　　　　　　　内側面
７３２　　　　　　　中間係合突出部
７３３，８３５　　　磁石
８３１　　　　　　　添付片
８３２　　　　　　　跨り接合線
８３３　　　　　　　外側面
８３４　　　　　　　中間係合凹入部
【図１】
0003099168.tif 000003
【図２】
0003099168.tif 000004
【図３】
0003099168.tif 000005
【図４】
0003099168.tif 000006
【図５】
0003099168.tif 000007
【図６】
0003099168.tif 000008
【図７】
0003099168.tif 000009
【図８】
0003099168.tif 000010
【図９】
0003099168.tif 000011
【図１０】
0003099168.tif 000012
【図１１】
0003099168.tif 000013
【図１２】
0003099168.tif 000014